(57)【要約】【課題】簡素な構成および操作にしたがって、シート状の対象物を傷付けることなく壁体に対して容易に且つ確実に仮留めすることのできる画鋲。【解決手段】シート状の対象物（Ｍ）を壁体（Ｗ）に仮留めするための画鋲（１）。対象物を貫通することなく壁体に突き刺すための針部（２）と、針部を壁体に突き刺した状態において壁体との間に対象物を挟み込むためのフランジ部（３）とを備えている。フランジ部は、対象物に当接して係合するための当接係合部（３ａ）を有する。【選択図】  図２
2004284177.tif 000002
【特許請求の範囲】
【請求項１】
シート状の対象物を壁体に仮留めするための画鋲において、
前記対象物を貫通することなく前記壁体に突き刺すための針部と、
前記針部を前記壁体に突き刺した状態において前記壁体との間に前記対象物を挟み込むためのフランジ部とを備え、
前記フランジ部は、前記対象物に当接して係合するための当接係合部を有することを特徴とする画鋲。
【請求項２】
前記フランジ部は前記針部の近傍よりも前記針部の先端側に突出した周辺部を有し、前記周辺部が当接係合部を構成することを特徴とする請求項１に記載の画鋲。
【請求項３】
前記当接係合部は、平板状の形態を有する前記フランジ部の針部側の面に設けられ、前記対象物との摩擦係数が高く且つ変形し易い材料で形成されていることを特徴とする請求項１に記載の画鋲。
【発明の詳細な説明】
【０００１】
【発明の属する技術分野】
本発明は、シート状の対象物を壁体に仮留めするための画鋲に関するものである。
【０００２】
【従来の技術】
従来、たとえばメモ用紙のようなシート状の対象物を壁に仮留めするのに画鋲が用いられている。しかしながら、従来の画鋲では、その針部が対象物を貫通して壁に突き刺さるため、対象物の一部が損傷を受けることになる。したがって、従来の画鋲を用いて、重要書類などを目の届き易い壁に仮留めすることができなかった。
【０００３】
そこで、たとえば実開平７−４４３１８号公報には、メモ用紙などを傷付けることなく挟んで壁に取り付けるためのクリップ付き画鋲が開示されている。このクリップ付き画鋲では、切り込み部が形成された円板クリップに、にぎり部と針部とが設けられている。
【０００４】
【特許文献１】
実開平７−４４３１８号公報
【０００５】
【発明が解決しようとする課題】
しかしながら、上述の公報に開示されたクリップ付き画鋲では、メモ用紙などを傷付けることなく挟んで壁に取り付けることができるという利点があるものの、比較的複雑な構成を有し、しかもメモ用紙などの取付け操作が煩雑であるという不都合があった。
【０００６】
本発明は、前述の課題に鑑みてなされたものであり、簡素な構成および操作にしたがって、シート状の対象物を傷付けることなく壁体に対して容易に且つ確実に仮留めすることのできる画鋲を提供することを目的とする。
【０００７】
【課題を解決するための手段】
前記課題を解決するために、本発明では、シート状の対象物を壁体に仮留めするための画鋲において、
前記対象物を貫通することなく前記壁体に突き刺すための針部と、
前記針部を前記壁体に突き刺した状態において前記壁体との間に前記対象物を挟み込むためのフランジ部とを備え、
前記フランジ部は、前記対象物に当接して係合するための当接係合部を有することを特徴とする画鋲を提供する。
【０００８】
本発明の好ましい態様によれば、前記フランジ部は前記針部の近傍よりも前記針部の先端側に突出した周辺部を有し、前記周辺部が当接係合部を構成する。あるいは、前記当接係合部は、平板状の形態を有する前記フランジ部の針部側の面に設けられ、前記対象物との摩擦係数が高く且つ変形し易い材料で形成されていることが好ましい。
【０００９】
【発明の実施の形態】
本発明の実施形態を、添付図面に基づいて説明する。
図１は、本発明の各実施形態にかかる画鋲の外観および使用状態を概略的に示す図である。また、図２は、図１の線Ａ−Ａに沿った断面図であって、第１実施形態にかかる画鋲の構成を概略的に示す図である。
【００１０】
図１および図２を参照すると、第１実施形態の画鋲１は、壁体Ｗに突き刺される針部２と、針部２の軸線に対してほぼ垂直なフランジ部３と、フランジ部３から針部２とは反対側において針部２の軸線とほぼ共軸に形成された円柱状の把持部４とにより構成されている。
【００１１】
ここで、フランジ部３は全体的に楕円形状を有し、この楕円形状は針部２の軸線に関して長手方向に偏心している。また、フランジ部３は、針部２の近傍よりも針部２の先端側に突出した周辺部３ａを有する。周辺部３ａは、後述するように、たとえば重要なメモ用紙Ｍのようなシート状の対象物に当接して係合するための当接係合部を構成することになる。
【００１２】
したがって、周辺部３ａは、メモ用紙Ｍに当接する部位、すなわち針部２から最も離れた周辺部位に形成されている必要がある。そして、針部２を壁体Ｗに突き刺した状態における安定性を考慮し、針部２から最も離れた周辺部位と対向する周辺部位にも周辺部３ａと同様な突起部を設けることが好ましい。あるいは、フランジ部３のほぼ全周に亘って環状に周辺部３ａと同様な突起部を設けることもできる。
【００１３】
第１実施形態では、指先で把持部４を摘みながら、メモ用紙Ｍを貫通することなく針部２を壁体Ｗに突き刺す。そして、針部２を壁体Ｗに突き刺した状態において、壁体Ｗとフランジ部３との間にメモ用紙Ｍを挟み込む。このとき、メモ用紙Ｍは、壁体Ｗと周辺部３ａとの間に挟み込まれ、周辺部３ａの当接係合作用により壁体Ｗから落下することなく壁体Ｗに仮留めされる。
【００１４】
以上のように、第１実施形態の画鋲１では、シート状の対象物であるメモ用紙Ｍを貫通することなく針部２を壁体Ｗに突き刺すだけで、簡素な構成および操作にしたがって、メモ用紙Ｍを傷付けることなく壁体Ｗに対して容易に且つ確実に仮留めすることができる。
【００１５】
図３は、図１の線Ａ−Ａに沿った断面図であって、第２実施形態にかかる画鋲の構成を概略的に示す図である。第２実施形態は、第１実施形態と類似の構成を有するが、フランジ部３の当接係合部の具体的な構成だけが第１実施形態と相違している。以下、第１実施形態と相違点に着目して、第２実施形態の構成および作用を説明する。
【００１６】
図３を参照すると、第２実施形態の画鋲１では、第１実施形態とは異なり、フランジ部３が平板状の形態を有する。そして、フランジ部３の針部２側の面においてメモ用紙Ｍに当接する部位、すなわち針部２から最も離れた周辺部位に、当接係合部３ｂが設けられている。当接係合部３ｂは、メモ用紙Ｍとの摩擦係数が高く且つ変形し易い材料、たとえばゴム材料で形成されている。
【００１７】
また、当接係合作用を高めるために、図３に示すように、当接係合部３ｂを鋸刃状の断面形状に形成することが好ましい。そして、針部２を壁体Ｗに突き刺した状態における安定性を考慮し、針部２から最も離れた周辺部位と対向する周辺部位にも当接係合部３ｂと同様な突起部を設けたり、あるいはフランジ部３のほぼ全周に亘って環状に当接係合部３ｂと同様な突起部を設けたりすることもできる。
【００１８】
第２実施形態においても、指先で把持部４を摘みながら、メモ用紙Ｍを貫通することなく針部２を壁体Ｗに突き刺す。そして、針部２を壁体Ｗに突き刺した状態において、壁体Ｗとフランジ部３との間にメモ用紙Ｍを挟み込む。このとき、メモ用紙Ｍは、壁体Ｗと当接係合部３ｂとの間に挟み込まれ、当接係合部３ｂの作用により壁体Ｗから落下することなく壁体Ｗに仮留めされる。
【００１９】
以上のように、第２実施形態の画鋲１においても、メモ用紙Ｍを貫通することなく針部２を壁体Ｗに突き刺すだけで、簡素な構成および操作にしたがって、メモ用紙Ｍを傷付けることなく壁体Ｗに対して容易に且つ確実に仮留めすることができる。
【００２０】
なお、上述の各実施形態では、フランジ部３が針部２の軸線に関して偏心した楕円形状を有するが、これに限定されることなく、フランジ部３が針部２の軸線を中心とする円形状であってもよく、フランジ部３の全体形状および針部２の軸線との位置関係については様々な変形例が可能である。
【００２１】
【発明の効果】
以上説明したように、本発明の画鋲では、シート状の対象物を貫通することなく針部を壁体に突き刺すだけで、簡素な構成および操作にしたがって、対象物を傷付けることなく壁体に対して容易に且つ確実に仮留めすることができる。
【図面の簡単な説明】
【図１】本発明の各実施形態にかかる画鋲の外観および使用状態を概略的に示す図である。
【図２】図１の線Ａ−Ａに沿った断面図であって、第１実施形態にかかる画鋲の構成を概略的に示す図である。
【図３】図１の線Ａ−Ａに沿った断面図であって、第２実施形態にかかる画鋲の構成を概略的に示す図である。
【符号の説明】
１  画鋲
２  針部
３  フランジ部
３ａ，３ｂ  当接係合部
４  把持部
Ｍ  メモ用紙
Ｗ  壁体
【図１】
2004284177.tif 000003
【図２】
2004284177.tif 000004
【図３】
2004284177.tif 000005